(57)【要約】【課題】商品陳列棚に対するカートリッジの前後位置が適切であるか否かを、目視により容易に判別することが可能な商品陳列用什器を提供する。【解決手段】商品陳列用什器は、それぞれ複数の商品が搭載される複数のカートリッジと、複数のカートリッジが搭載される商品陳列棚とを有する。商品陳列棚は、カートリッジを支持する支持部を有する。商品陳列用什器は、カートリッジが商品陳列棚に対して所定の前後方向位置となっている状態で、カートリッジと支持部とを相互に係合させる係合構造を有する。商品陳列用什器は、カートリッジが商品陳列棚に対して所定の前後方向位置となっているか否かを目視により判別するためのインジケーターを有する。【選択図】図１
2014018503.tif 000002
【特許請求の範囲】
【請求項１】
それぞれ複数の商品が搭載される複数のカートリッジと、
前記複数のカートリッジが搭載される商品陳列棚と、
を有し、
前記商品陳列棚は、前記カートリッジを支持する支持部を有する商品陳列用什器において、
当該商品陳列用什器は、
前記カートリッジが前記商品陳列棚に対して所定の前後方向位置となっている状態で、前記カートリッジと前記支持部とを相互に係合させる係合構造と、
前記カートリッジが前記商品陳列棚に対して前記所定の前後方向位置となっているか否かを目視により判別するためのインジケーターと、
を有する商品陳列用什器。
【請求項２】
前記カートリッジが前記所定の前後方向位置とは異なる前後方向位置で前記支持部に搭載された状態で、前記カートリッジの後方移動が前記支持部により規制されるとともに、前記支持部上において前記カートリッジが前方にスライド移動可能である請求項１に記載の商品陳列用什器。
【請求項３】
前記商品陳列棚は、
各々の板面が幅方向を向くように立設された複数の板状部を有し、
前記複数の板状部には、少なくとも、互いに対向する第１の側板及び第２の側板が含まれ、
前記カートリッジが前記商品陳列棚に対して前記所定の前後方向位置となっている状態で、前記カートリッジが前記板状部よりも後方に突出している請求項１又は２に記載の商品陳列用什器。
【請求項４】
前記インジケーターは、前記板状部の後端より後方に突出している突出片であり、
前記突出片の後端の前後方向位置は、前記カートリッジが前記商品陳列棚に対して前記所定の前後方向位置となっているときの前記カートリッジの後端の前後方向位置と一致している請求項３に記載の商品陳列用什器。
【請求項５】
前記係合構造は、
前記支持部の上面に形成された係合凹部と、
前記カートリッジの下端部に形成され、前記係合凹部内に入り込んで前記係合凹部と係合する係合突起と、
を有し、
前記係合突起は、その下部ほど前方に位置する形状に形成され、
前記係合凹部は、当該係合凹部と前記係合突起とが係合した状態において前記係合突起の少なくとも上方への移動を規制する形状に形成されている請求項１乃至４の何れか一項に記載の商品陳列用什器。
【請求項６】
前記商品陳列棚は、当該商品陳列棚が載置面に載置された状態で前記載置面と対向する底板部を有し、
前記底板部は、
平板状の主部と、
前記底板部の周縁部の複数箇所の各々において、前記主部よりも低段に配置された平板状の低段部と、
を有し、
前記低段部の各々の下面には、前記底板部よりも摩擦係数が大きい材質により構成され、前記商品陳列棚が前記載置面に載置された状態で前記載置面に接触する滑り止め部材がそれぞれ設けられている請求項１乃至５の何れか一項に記載の商品陳列用什器。
【請求項７】
前記商品陳列棚は、
互いに対向するようにそれぞれ立設された第１及び第２の側板と、
前記第１の側板と前記第２の側板との間に立設された中間板と、
を有し、
前記支持部は、
前記第１の側板と前記中間板との間に架け渡して配置された第１支持部と、
前記中間板と前記第２の側板との間に架け渡して配置された第２支持部と、
を含み、
前記中間板と前記第２の側板との対向間隔が可変となるよう、前記第２支持部が前記中間板に対して幅方向に相対移動可能に前記中間板に挿通され、
前記滑り止め部材のうちの少なくとも何れか１つは、前記第２支持部の直下、又は、前記第２支持部の延長線の直下に配置されている請求項６に記載の商品陳列用什器。
【請求項８】
前記カートリッジは、
前記複数の商品が搭載されるカートリッジ本体と、
前記カートリッジ本体の底板に対して前後にスライド可能に連結され、前記商品を前方に押すスライダーと、
前記スライダーを前方に付勢する付勢部と、
を有し、
前記スライダーは、
前記底板の上面に沿ってスライド移動する第１スライド部を有し、
前記底板の後部には、前記第１スライド部の前面を係止させることによって、前記スライダーを前方移動が規制されたロック状態とするロック部が形成され、
前記第１スライド部の前記前面は、前方に向けて下り傾斜した第１傾斜面となっており、
前記ロック部は、その上部ほど後方に位置するようにオーバーハングした第２傾斜面となっている請求項１乃至６の何れか一項に記載の商品陳列用什器。
【請求項９】
前記スライダーは、前記底板の下面に沿ってスライド移動する第２スライド部を更に有し、
前記カートリッジは、前記カートリッジ本体の前記底板の下面よりも下方に突出した突起を更に有し、
前記ロック状態において、前記突起が前記第２スライド部の上方移動を規制することにより前記スライダーの前傾が規制される請求項８に記載の商品陳列用什器。
【発明の詳細な説明】
【技術分野】
【０００１】
本発明は、複数の商品が一列に搭載されるカートリッジと、複数のカートリッジが搭載される商品陳列棚と、を有する商品陳列用什器に関する。
【背景技術】
【０００２】
コンビニエンスストアなどの店舗では、様々な商品がいわゆる什器と呼ばれる商品陳列棚に陳列されている。
【０００３】
多様な商品のうち、特にたばこ商品は、購入者適格が定められており、かつ多種類の銘柄が提供されていることから、レジカウンタの上など店員の目が届く位置に整然と並べて陳列することが求められる。なお、ここでいう「たばこ商品」とは、消費者に喫煙される一本ごとの紙巻たばこではなく、複数の紙巻たばこを収容している一般に直方体状のパッケージ（個装品）、および複数のパッケージを収容しているカートンやパーセルを意味している。
【０００４】
商品陳列棚には、カートリッジ又はマガジンなどと呼ばれるトレイ状の容器（以下、カートリッジと称する）が複数搭載される。各カートリッジには、複数の商品を搭載できるようになっている。
【０００５】
特許文献１には、一対の対向する側板どうしが、連結部材で連結されており、この連結部材によりカートリッジ（同文献の商品収容器）を支持するように構成された商品陳列棚（同文献の商品陳列用什器）が記載されている。カートリッジの底面部には、連結部材に係合する係合部が形成されている。より具体的には、連結部材は丸棒であり、係合部はカートリッジの底面部の下面側に半円状の切欠形状部を形成することにより構成されている。カートリッジを商品陳列棚に対して前後方向に位置合わせして搭載することによって、連結部材の一部分が係合部に入り込み、カートリッジが商品陳列棚に対して前後方向に位置決めされる。
【先行技術文献】
【特許文献】
【０００６】
【特許文献１】登録実用新案第３１３９９５７号公報
【発明の概要】
【発明が解決しようとする課題】
【０００７】
特許文献１の商品陳列棚のように、カートリッジと、カートリッジを支持する支持部材（同文献の連結部材）とを相互に係合させることによって、カートリッジを商品陳列棚に対して前後方向に位置決めする技術には、以下のような課題が存在する。
【０００８】
すなわち、商品陳列棚に対するカートリッジの前後方向位置が適切でなく、カートリッジと支持部材とが係合せずに単に支持部材にカートリッジが載っただけの状態でも、カートリッジが水平となる場合がある。このため、カートリッジが正しい前後方向位置で商品陳列棚に搭載されているかどうかを見た目だけで判別することが困難な場合がある。
【０００９】
しかし、カートリッジと支持部材とが係合していなければ、カートリッジが商品陳列棚に対して前後方向にずれやすい。
【００１０】
本発明は上述のような課題に鑑みてなされたものであり、商品陳列棚に対するカートリッジの前後方向位置が適切であるか否かを、目視により容易に判別することが可能な商品陳列用什器を提供するものである。
【課題を解決するための手段】
【００１１】
本発明は、それぞれ複数の商品が搭載される複数のカートリッジと、
前記複数のカートリッジが搭載される商品陳列棚と、
を有し、
前記商品陳列棚は、前記カートリッジを支持する支持部を有する商品陳列用什器において、
当該商品陳列用什器は、
前記カートリッジが前記商品陳列棚に対して所定の前後方向位置となっている状態で、前記カートリッジと前記支持部とを相互に係合させる係合構造と、
前記カートリッジが前記商品陳列棚に対して前記所定の前後方向位置となっているか否かを目視により判別するためのインジケーターと、
を有する商品陳列用什器を提供する。
【００１２】
この商品陳列用什器によれば、インジケーターを有しているので、カートリッジが商品陳列棚に対して所定の前後方向位置となっているか否かを目視により判別することができる。換言すれば、カートリッジと支持部とが相互に係合しているか否かの判別を、インジケーター等を目視することによって容易に行うことができる。よって、容易且つ確実に、カートリッジと支持部とを係合状態にすることができる。
【発明の効果】
【００１３】
本発明によれば、商品陳列棚に対するカートリッジの前後方向位置が適切であるか否かを、目視により容易に判別することができる。
【図面の簡単な説明】
【００１４】
【図１】実施形態に係る商品陳列用什器を前方から見た斜視図である。
【図２】実施形態に係る商品陳列用什器を後方から見た斜視図である。
【図３】実施形態に係る商品陳列用什器の商品陳列棚の単位棚部を示す図であり、このうち図３（ａ）は正面図、図３（ｂ）は平面図である。
【図４】実施形態に係る商品陳列用什器の商品陳列棚の側板の側面図であり、このうち図４（ａ）は向かって左側の側板を示し、図４（ｂ）は向かって右側の側板を示す。
【図５】実施形態に係る商品陳列用什器の商品陳列棚の中間板の側面図である。
【図６】実施形態に係る商品陳列用什器の商品陳列棚の左側複合支持部材の分解図であり、このうち図６（ａ）は平面図、図６（ｂ）は図６（ａ）のＡ−Ａ矢視断面図である。
【図７】実施形態に係る商品陳列用什器の商品陳列棚の左側複合支持部材を示す図であり、このうち図７（ａ）は平面図、図７（ｂ）は図７（ａ）のＡ−Ａ矢視断面図である。
【図８】実施形態に係る商品陳列用什器の商品陳列棚の左側支持部材を示す図であり、このうち図８（ａ）は平面図、図８（ｂ）は図８（ａ）のＡ−Ａ矢視断面図である。
【図９】実施形態に係る商品陳列用什器の商品陳列棚の右側複合支持部材を示す図であり、このうち図９（ａ）は平面図、図９（ｂ）は図９（ａ）のＡ−Ａ矢視断面図である。
【図１０】実施形態に係る商品陳列用什器の商品陳列棚の右側支持部材を示す図であり、このうち図１０（ａ）は平面図、図１０（ｂ）は図１０（ａ）のＡ−Ａ矢視断面図である。
【図１１】実施形態に係る商品陳列用什器の商品陳列棚の底板部と、底板部の上に配置された１段目の単位棚部と、を示す平面図である。
【図１２】実施形態に係る商品陳列用什器の商品陳列棚の底板部の裏面を示す底面図である。
【図１３】図１２のＡ−Ａ矢視断面図である。
【図１４】実施形態に係る商品陳列用什器のカートリッジを示す図であり、このうち図１４（ａ）は側面図、図１４（ｂ）は平面図である。
【図１５】実施形態に係る商品陳列用什器のカートリッジのスライダーを示す図であり、このうち図１５（ａ）は側面図、図１５（ｂ）は正面図である。
【図１６】実施形態に係る商品陳列用什器のカートリッジのカートリッジ本体の後部の断面図である。
【図１７】実施形態に係る商品陳列用什器のカートリッジの係合突起が支持部の係合凹部に対して係合した状態を示す要部の側断面図であり、このうち図１７（ａ）は中間板よりも左側での係合状態を示し、図１７（ｂ）は中間板よりも右側での係合状態を示す。
【図１８】変形例に係る商品陳列用什器のカートリッジのカートリッジ本体の後部の断面図である。
【発明を実施するための形態】
【００１５】
以下、実施形態について、図面を用いて説明する。なお、すべての図面において、同様の構成要素には同一の符号を付し、適宜に説明を省略する。
【００１６】
図１は実施形態に係る商品陳列用什器１００を前方から見た斜視図である。図２は商品陳列用什器１００を後方から見た斜視図である。
図３は商品陳列棚２００の単位棚部２５０を示す図であり、このうち図３（ａ）は正面図、図３（ｂ）は平面図である。
図４は商品陳列用什器１００の商品陳列棚２００の側板の側面図である。このうち図４（ａ）は向かって左側に配置された側板（以下、左側側板１０）の右側の側面を示し、図４（ｂ）は向かって右側に配置された側板（以下、右側側板２０）の右側の側面を示す。
図５は商品陳列棚２００の中間板３０の向かって右側の側面を示す側面図である。
図６は商品陳列棚２００の左側複合支持部材７０の分解図であり、このうち図６（ａ）は平面図、図６（ｂ）は図６（ａ）のＡ−Ａ矢視断面図である。
図７は商品陳列棚２００の左側複合支持部材７０を示す図であり、このうち図７（ａ）は平面図、図７（ｂ）は図７（ａ）のＡ−Ａ矢視断面図である。
図８は商品陳列棚２００の左側支持部材７５を示す図であり、このうち図８（ａ）は平面図、図８（ｂ）は図８（ａ）のＡ−Ａ矢視断面図である。
図９は商品陳列棚２００の右側複合支持部材８０を示す図であり、このうち図９（ａ）は平面図、図９（ｂ）は図９（ａ）のＡ−Ａ矢視断面図である。
図１０は商品陳列棚２００の右側支持部材８５を示す図であり、このうち図１０（ａ）は平面図、図１０（ｂ）は図１０（ａ）のＡ−Ａ矢視断面図である。
図１１は商品陳列棚２００の底板部５０と、底板部５０の上に配置された１段目の単位棚部２５０と、を示す平面図である。
図１２は底板部５０の裏面を示す底面図である。
図１３は図１２のＡ−Ａ矢視断面図である。
図１４は商品陳列用什器１００のカートリッジ３００を示す図であり、このうち図１４（ａ）は側面図、図１４（ｂ）は平面図である。
図１５はカートリッジ３００のスライダー３４０を示す図であり、このうち図１５（ａ）は側面図、図１５（ｂ）は正面図である。
図１６はカートリッジ３００のカートリッジ本体３１０の後部の断面図である。図１６は図１４（ｂ）のＢ−Ｂ線に沿った矢視断面図である。
図１７はカートリッジ３００の係合突起３１６が支持部の係合凹部７４に対して係合した状態を示す側断面図であり、このうち図１７（ａ）は中間板３０よりも左側での係合状態を示し、図１７（ｂ）は中間板３０よりも右側での係合状態を示す。
【００１７】
本実施形態に係る商品陳列用什器１００は、それぞれ複数の商品（例えばたばこ商品６０）が搭載される複数のカートリッジ３００と、複数のカートリッジ３００が搭載される商品陳列棚２００と、を有する。
商品陳列棚２００は、カートリッジ３００を支持する支持部を有する。
商品陳列用什器１００は、カートリッジ３００が商品陳列棚２００に対して所定の前後方向位置となっている状態で、カートリッジ３００と支持部とを相互に係合させる係合構造を有する。係合構造は、例えば、支持部の上面に形成された係合凹部７４（図３（ｂ））と、カートリッジ３００の底面に形成された係合突起３１６（図１４（ａ））と、を有する。例えば、係合突起３１６が係合凹部７４内に入り込むことによって、係合突起３１６と係合凹部７４とが相互に係合する（図１７）。
商品陳列用什器１００は、更に、カートリッジ３００が商品陳列棚２００に対して所定の前後方向位置となっているか否かを目視により判別するためのインジケーター（例えば、突出片４０）を有する（図２）。
以下、詳細に説明する。
【００１８】
図１に示すように、商品陳列用什器１００の商品陳列棚２００は、例えば、複数の単位棚部２５０を上下方向に相互に連結して多段に積み重ねることにより構成されている。図１の例では、商品陳列棚２００は、５段の単位棚部２５０を有している。
【００１９】
単位棚部２５０の各々は、支持部を有しており、各段の単位棚部２５０の支持部上に複数のカートリッジ３００を横並びに搭載できるようになっている。
【００２０】
商品陳列棚２００は、例えば、底板部５０と天板部９０とを更に有している。
底板部５０は、商品陳列棚２００が載置面５上に載置された状態で、載置面５と対向する。底板部５０上には、最下段の単位棚部２５０が設けられている。
また、最上段の単位棚部２５０の上には、天板部９０が設けられている。
【００２１】
各単位棚部２５０はその幅方向寸法を調節可能に構成されている。より具体的には、底板部５０上に複数段の単位棚部２５０を積み重ねるとともに、最上段の単位棚部２５０上に天板部９０を設けて商品陳列棚２００を組み立てた状態において、複数段の単位棚部２５０の幅方向寸法を一括して調節可能となっている。その際、単位棚部２５０の幅方向寸法の変化に同期して、底板部５０及び天板部９０の幅方向寸法も変化するように、底板部５０及び天板部９０はそれぞれ構成されている。
【００２２】
単位棚部２５０の幅方向寸法は、例えば、２つのカートリッジ３００を支持部上に横並びに搭載可能な寸法から、４つのカートリッジ３００を支持部上に横並びに搭載可能な寸法（図１、図２参照）まで、変化させることができるようになっている。
【００２３】
商品陳列用什器１００は、例えば、レジカウンタ上などに設置することができる。その場合、商品陳列用什器１００の前側が、来店者から見たレジカウンタの手前側となり、商品陳列用什器１００の後側が、レジカウンタの奥側（レジ裏側）となるように、商品陳列用什器１００を設置することを想定している。
【００２４】
単位棚部２５０の各々は、前方及び後方にそれぞれ開放している。このため、たばこ商品６０の購買者は、単位棚部２５０の支持部上のカートリッジ３００に搭載されているたばこ商品６０を、単位棚部２５０の前方から取り出して購入することができる。また、店員は、単位棚部２５０の後方すなわちレジ裏側から、支持部上のカートリッジ３００に対して、たばこ商品６０を補充することができる。更に、店員は、例えば、単位棚部２５０の後方から、カートリッジ３００を支持部上に搭載したり、支持部上のカートリッジ３００を単位棚部２５０の後方から取り出したりすることができる。
【００２５】
以下、単位棚部２５０について、詳述する。
【００２６】
図３に示すように、単位棚部２５０は、例えば、各々の板面が幅方向（左右方向）を向くように立設された複数の板状部を有している。この複数の板状部には、互いに対向する左側側板（第１の側板）１０及び右側側板（第２の側板）２０と、左側側板１０と右側側板２０との間に立設された中間板３０と、が含まれる。
【００２７】
単位棚部２５０の支持部は、左側側板１０と中間板３０との間に架け渡して配置された第１支持部と、中間板３０と右側側板２０との間に架け渡して配置された第２支持部と、を含む。
【００２８】
図３（ｂ）に示すように、第１支持部は、例えば、単位棚部２５０の前部及び後部にそれぞれ配置された左側支持部材７５と、これら左側支持部材７５の間に配置された左側複合支持部材７０と、を含む。各左側支持部材７５及び左側複合支持部材７０は、それぞれ左側側板１０と中間板３０との間に架け渡して配置されている。より具体的には、各左側支持部材７５及び左側複合支持部材７０は、左側側板１０と中間板３０との対向間隔が一定間隔に維持されるように、左側側板１０と中間板３０とを相互に連結している。各左側支持部材７５及び左側複合支持部材７０の左端部は、左側側板１０の下部に固定され、各左側支持部材７５及び左側複合支持部材７０の右端部は、中間板３０の下部に固定されている。
【００２９】
第２支持部は、例えば、単位棚部２５０の前部に配置された右側支持部材８５と、単位棚部２５０の後部に配置された右側複合支持部材８０と、を含む。右側支持部材８５及び右側複合支持部材８０は、それぞれ中間板３０と右側側板２０との間に架け渡して配置されている。より具体的には、右側支持部材８５及び右側複合支持部材８０の右端部は、右側側板２０の下部に固定されている。
一方、右側支持部材８５及び右側複合支持部材８０の左端部は、中間板３０の下部に挿通され、右側支持部材８５及び右側複合支持部材８０が中間板３０に対して幅方向に相対移動可能となっている。すなわち、中間板３０と右側側板２０との対向間隔が可変となるよう、右側支持部材８５及び右側複合支持部材８０が中間板３０に対して幅方向に相対移動可能に中間板３０に挿通されている。
【００３０】
図４（ａ）に示すように、左側側板１０は、板状の本体部１０ａを有している。
本体部１０ａの下部には、前側の左側支持部材７５の左端部が固定される固定穴１１と、左側複合支持部材７０の左端部が固定される固定穴１２と、後側の左側支持部材７５の左端部が固定される固定穴１３と、が形成されている。
本体部１０ａは、固定穴１１の周面から固定穴１１の内部に向けて突出する固定突起１４と、固定穴１２の周面から固定穴１２の内部に向けて突出する固定突起１５と、固定穴１３の周面から固定穴１３の内部に向けて突出する固定突起１４と、を有している。
【００３１】
左側側板１０は、更に、本体部１０ａより上方に突出している複数の（例えば２つの）上下連結突起４３を有している。これら上下連結突起４３は互いに前後に離間している。本体部１０ａには、更に、その下面において開口する複数の（例えば２つの）上下連結凹部４５が形成されている。これら上下連結凹部４５は上下連結突起４３と同じ間隔で互いに前後に離間している。上下連結突起４３は、上下連結凹部４５に対して係合可能な形状に形成されている。上下連結突起４３は、例えば、側面視においてＬ字状などのフック形状に形成されている。左側側板１０は、例えば、上下連結突起４３と上下連結凹部４５とをそれぞれ前後一対ずつ有している。
【００３２】
図４（ｂ）に示すように、右側側板２０は、板状の本体部２０ａを有している。
本体部２０ａの下部には、右側支持部材８５の右端部が固定される固定穴２１と、右側複合支持部材８０の右端部が固定される固定穴２２と、が形成されている。
本体部２０ａは、固定穴２１の周面から固定穴２１の内部に向けて突出する固定突起２４と、固定穴２２の周面から固定穴２２の内部に向けて突出する固定突起２５と、を有している。
【００３３】
右側側板２０は、左側側板１０と同様に、本体部２０ａより上方に突出している複数の上下連結突起４３を有している。更に、右側側板２０には、左側側板１０と同様に、本体部２０ａの下面において開口する複数の上下連結凹部４５が形成されている。
【００３４】
図５に示すように、中間板３０は、板状の本体部３０ａを有している。
本体部３０ａの下部には、前側の左側支持部材７５の右端部が固定される固定穴１１と、左側複合支持部材７０の右端部が固定される固定穴１２と、後側の左側支持部材７５の右端部が固定される固定穴１３と、が形成されている。
本体部３０ａは、その固定穴１１の周面から固定穴１１の内部に向けて突出する固定突起１４と、その固定穴１２の周面から固定穴１２の内部に向けて突出する固定突起１５と、その固定穴１３の周面から固定穴１３の内部に向けて突出する固定突起１４と、を有している。
中間板３０の固定穴１１は左側側板１０の固定穴１１と対向する位置に形成され、中間板３０の固定穴１２は左側側板１０の固定穴１２と対向する位置に形成され、中間板３０の固定穴１３は左側側板１０の固定穴１３と対向する位置に形成されている。
【００３５】
更に、本体部３０ａの下部には、右側支持部材８５が挿通される遊挿孔３１と、右側複合支持部材８０が挿通される遊挿孔３２と、が本体部３０ａを左右に貫通して形成されている。
遊挿孔３１の天面３１ａ及び遊挿孔３２の天面３２ａはそれぞれアーチ状に形成されており、遊挿孔３１及び遊挿孔３２の上下寸法がそれぞれの前後方向における中央部で最も大きくなっている。これにより、遊挿孔３１に挿通された右側支持部材８５の上面に対して天面３１ａが非接触となるとともに、遊挿孔３２に挿通された右側複合支持部材８０の上面に対して天面３２ａが非接触となるようになっている。
遊挿孔３１は右側側板２０の固定穴２１と対向する位置に形成され、遊挿孔３２は右側側板２０の固定穴２２と対向する位置に形成されている。
【００３６】
中間板３０は、更に、左側側板１０及び右側側板２０と同様に、本体部３０ａより上方に突出している複数の上下連結突起４３を有している。更に、中間板３０には、左側側板１０及び右側側板２０と同様に、本体部３０ａの下面において開口する複数の上下連結凹部４５が形成されている。
【００３７】
本体部１０ａ、本体部２０ａ及び本体部３０ａの側面は、例えば、互いに同一形状であり且つ互いに同一寸法となっている。また、単位棚部２５０を側方から見たときに本体部１０ａ、本体部２０ａ及び本体部３０ａが互いに重なるようになっている。したがって、左側側板１０の後端辺１６、右側側板２０の後端辺２６、及び、中間板３０の後端辺３６の前後方向位置は、互いに等しい。
【００３８】
本体部１０ａ、本体部２０ａ及び本体部３０ａは、例えば、側面視において、それらの上部ほど後方に位置するように後傾している。このため、後端辺１６、後端辺２６及び後端辺３６は、それらの上部ほど後方に位置するように傾斜している。より具体的には、例えば、本体部１０ａ、２０ａ、３０ａの側面形状は、平行四辺形であることが挙げられる。
【００３９】
図４（ａ）に示すように、左側側板１０には、突出片４０が一体的に設けられている。この突出片４０は、後端辺１６の下部より後方に突出している。
同様に、図４（ｂ）に示すように、右側側板２０には、突出片４０が一体的に設けられている。この突出片４０は、後端辺２６の下部より後方に突出している。
同様に、図５に示すように、中間板３０には、突出片４０が一体的に設けられている。この突出片４０は、後端辺３６の下部より後方に突出している。
突出片４０は、その板面が左右方向を向く平板状に形成されている。
【００４０】
左側側板１０に設けられた突出片４０と、右側側板２０に設けられた突出片４０と、中間板３０に設けられた突出片４０とは、例えば、互いに側面形状が同一で且つ側面が同一寸法となっている。例えば、単位棚部２５０を側方から見たときにこれら突出片４０が互いに重なる。なお、これら突出片４０の幅（左右方向寸法）は、それぞれ異なっていても良いし、互いに同一であっても良い。
【００４１】
突出片４０の後端辺４１は、例えば、鉛直方向に延在している。突出片４０の側面形状は、例えば、台形となっていることが挙げられる。
【００４２】
突出片４０の上下寸法は、左側側板１０、中間板３０及び右側側板２０の各々の上下寸法よりも小さく、しかも、突出片４０は、左側側板１０、中間板３０及び右側側板２０の各々の後端の下部に設けられている。このため、後方からカートリッジ３００に対して何らかのオペレーションが必要な場合に、突出片４０がそのオペレーションを妨げてしまうことを抑制することができる。
【００４３】
図６及び図７に示すように、左側複合支持部材７０は、前側に位置する前側部材７１と、後側に位置する後側部材７２と、の２つの部材を相互に組み付けることによって構成されている。
【００４４】
図６に示すように、後側部材７２は、左右方向に長尺な板状の本体部７２ａと、本体部７２ａの前端面より前方に突出している複数の（例えば３つの）連結突起７２ｅと、を有している。
本体部７２ａは、本体部７２ａの後部に位置する後側平坦部７２ｃと、本体部７２ａの前部に位置する前側平坦部７２ｄと、前後方向において前側平坦部７２ｄと後側平坦部７２ｃとに挟まれた位置に配置された溝部７２ｂと、を有する。
図６（ｂ）に示すように、後側平坦部７２ｃと前側平坦部７２ｄは、それぞれ上面が平坦且つ水平に形成されている。溝部７２ｂは、後側平坦部７２ｃ及び前側平坦部７２ｄよりも低段に形成されている。後側平坦部７２ｃ、前側平坦部７２ｄ及び溝部７２ｂは、後側部材７２の左右両端間に亘って延在している。
本体部７２ａの左右両端部には、それぞれ固定穴７３が形成されている。
連結突起７２ｅは、例えば、平面視においてＬ字状などのフック形状をなしている。
【００４５】
図６に示すように、前側部材７１は、前側部材７１の上部に位置する上側板状部７１ａと、前側部材７１の下部に位置する下側板状部７１ｂと、上下連結部７１ｃと、を有する。上下連結部７１ｃは、上下方向において上側板状部７１ａと下側板状部７１ｂとの間に配置され、上側板状部７１ａと下側板状部７１ｂとを相互に連結している。
上側板状部７１ａ、下側板状部７１ｂ及び上下連結部７１ｃは、左右方向に長尺に形成されている。上側板状部７１ａは、その上面が平坦且つ水平に形成されている。
上下連結部７１ｃには、複数の（例えば３つの）連結孔７１ｄが形成されている。各連結孔７１ｄに対して、それぞれ対応する連結突起７２ｅが係合することによって、図７に示すように、前側部材７１と後側部材７２とが相互に組み付けられて、左側複合支持部材７０が構成されている。
具体的には、連結突起７２ｅがＬ字状のフック形状をなしている場合、前側部材７１と後側部材７２とを前後方向において相対的に近づけることによって連結突起７２ｅを連結孔７１ｄ内に入り込ませた後、前側部材７１と後側部材７２とを左右方向に相対移動させることによって、連結突起７２ｅを連結孔７１ｄに対して係合させることができる。
【００４６】
前側部材７１と後側部材７２とを相互に組み付けた状態で、上側板状部７１ａは、前側平坦部７２ｄの上に重なっている。ここで、前側平坦部７２ｄの上面は、後側平坦部７２ｃの上面よりも、上側板状部７１ａの厚み分だけ低段に配置されている。このため、上側板状部７１ａの上面と後側平坦部７２ｃの上面とが同じ高さとなっている。
また、上側板状部７１ａは、前側平坦部７２ｄよりも後方へ突出し、溝部７２ｂの一部分の上方を覆っている。
このように前側部材７１と後側部材７２とを組み付けることにより、溝部７２ｂと、上側板状部７１ａにおいて溝部７２ｂを覆う部分と、によって、係合凹部７４が構成されている。係合凹部７４は、左側複合支持部材７０の左右両端間に亘って延在している。
【００４７】
図８に示すように、左側支持部材７５は、単一の部材からなる。左側支持部材７５は、左右方向に長尺な本体部７６を有している。本体部７６の上面は、平坦且つ水平に形成されている。本体部７６の左右両端部には、それぞれ固定穴７７が形成されている。
【００４８】
図９に示すように、右側複合支持部材８０は、前側に位置する前側部材８１と、後側に位置する後側部材８２と、の２つの部材を相互に組み付けることによって構成されている。前側部材８１と後側部材８２との連結構造は、左側複合支持部材７０の前側部材７１と後側部材７２との連結構造と同様であるため、その説明を省略する。
前側部材８１と後側部材８２とを相互に連結することによって、右側複合支持部材８０には、左側複合支持部材７０における係合凹部７４と同様の、係合凹部７４が構成されている。
右側複合支持部材８０の右端部には、固定穴８３が形成されている。
右側複合支持部材８０の上面の左端部には、右側複合支持部材８０を中間板３０の遊挿孔３２に対して差し込みやすくするための面取り形状部８４が形成されている。
【００４９】
図１０に示すように、右側支持部材８５は、単一の部材からなる。右側支持部材８５は、左右方向に長尺な本体部８６を有している。本体部８６の上面は、平坦且つ水平に形成されている。本体部８６の右端部には、固定穴８７が形成されている。
本体部８６の上面の左端部には、右側支持部材８５を中間板３０の遊挿孔３１に対して差し込みやすくするための面取り形状部８９が形成されている。
更に、右側支持部材８５は、本体部８６の左端部の下面より下方に突出した抜け止め用爪部８８を有している。
【００５０】
単位棚部２５０の各部材は、以下のようにして相互に組み付けられている。
【００５１】
前側の左側支持部材７５の左端部は、左側側板１０の前部に形成された固定穴１１に差し込まれている。そして、前側の左側支持部材７５の左端部の固定穴７７内に、左側側板１０の固定穴１１内の固定突起１４が嵌ることによって、前側の左側支持部材７５の左端部が左側側板１０の固定穴１１に固定されている。
同様に、前側の左側支持部材７５の右端部は、中間板３０の前部に形成された固定穴１１に固定されている。
【００５２】
後側の左側支持部材７５の左端部は、左側側板１０の後部に形成された固定穴１３に差し込まれている。そして、後側の左側支持部材７５の左端部の固定穴７７内に、左側側板１０の固定穴１３内の固定突起１４が嵌ることによって、後側の左側支持部材７５の左端部が左側側板１０の固定穴１３に固定されている。
同様に、後側の左側支持部材７５の右端部は、中間板３０の後部に形成された固定穴１３に固定されている。
【００５３】
左側複合支持部材７０の左端部は、左側側板１０の固定穴１２に差し込まれている。そして、左側複合支持部材７０の左端部の固定穴７３内に、左側側板１０の固定穴１２内の固定突起１５が嵌ることによって、左側複合支持部材７０の左端部が左側側板１０の固定穴１２に固定されている。
同様に、左側複合支持部材７０の右端部は、中間板３０の固定穴１２に固定されている。
【００５４】
以上により、前後一対の左側支持部材７５と左側複合支持部材７０とがそれぞれ左側側板１０と中間板３０との間に架け渡して配置されている。前後一対の左側支持部材７５と左側複合支持部材７０は、それぞれ左右方向へ延在し、且つ、水平となっている。この状態で、左側側板１０と中間板３０とは、前後一対の左側支持部材７５と左側複合支持部材７０とによって相互に連結され、互いの対向間隔が一定に維持されている。
【００５５】
右側支持部材８５の右端部は、右側側板２０の前部に形成された固定穴２１に差し込まれている。そして、右側支持部材８５の固定穴８７内に、右側側板２０の固定穴２１内の固定突起２４が嵌ることによって、右側支持部材８５の右端部が右側側板２０の固定穴２１に固定されている。
更に、右側支持部材８５は、その左端側から中間板３０の遊挿孔３１に挿入されている。右側支持部材８５の左端部は中間板３０よりも左側に突出可能である。なお、右側支持部材８５は、その抜け止め用爪部８８により、右側支持部材８５の左端部が中間板３０よりも右側に抜けてしまうことが抑制されている。
【００５６】
右側複合支持部材８０の右端部は、右側側板２０の後部に形成された固定穴２２に差し込まれている。そして、右側複合支持部材８０の固定穴８３内に、右側側板２０の固定穴２２内の固定突起２５が嵌ることによって、右側複合支持部材８０の右端部が右側側板２０の固定穴２２に固定されている。
更に、右側複合支持部材８０は、その左端側から中間板３０の遊挿孔３２に挿入されている。右側複合支持部材８０の左端部は中間板３０よりも左側に突出可能である。
【００５７】
以上により、右側支持部材８５と右側複合支持部材８０とがそれぞれ中間板３０と右側側板２０との間に架け渡して配置されている。右側支持部材８５と右側複合支持部材８０は、それぞれ左右方向へ延在し、且つ、水平となっている。
この状態で、中間板３０と右側側板２０とは、右側支持部材８５と右側複合支持部材８０とによって相互に連結されている。
ただし、右側支持部材８５が遊挿孔３１に、右側複合支持部材８０が遊挿孔３２に、それぞれ挿通されている。このため、右側支持部材８５及び右側複合支持部材８０を中間板３０に対して左右方向に相対移動させることにより、中間板３０と右側側板２０との対向間隔が可変となっている。
【００５８】
ここで、左側側板１０と中間板３０との対向間隔は、例えば、左側側板１０と中間板３０との間に２つのカートリッジ３００を横並びに配置可能な間隔に設定されている。
一方、中間板３０と右側側板２０との対向間隔は、例えば、中間板３０と右側側板２０との間に２つのカートリッジ３００を横並びに配置可能な間隔から、中間板３０と右側側板２０との間にカートリッジ３００を１つも配置できない間隔まで調節可能である。
このため、中間板３０と右側側板２０との対向間隔を調節することによって、単位棚部２５０により横並びに支持可能なカートリッジ３００の個数は、４個、３個又は２個に変更することができる。
なお、中間板３０と右側側板２０との対向間隔を調節することは、単位棚部２５０の幅寸法を調節することを意味する。
【００５９】
単位棚部２５０は、中間板３０よりも左側においては、前後一対の左側支持部材７５と左側複合支持部材７０とによりカートリッジ３００を支持する（図１７（ａ））。また、単位棚部２５０は、中間板３０よりも右側においては、右側支持部材８５と右側複合支持部材８０とによりカートリッジ３００を支持する（図１７（ｂ））。
同一の単位棚部２５０の各支持部材（前後一対の左側支持部材７５、左側複合支持部材７０、右側支持部材８５及び右側複合支持部材８０）の上面は、互いに同じ高さに位置している。このため、単位棚部２５０によりカートリッジ３００を水平に支持することができる。
【００６０】
なお、それぞれ単位棚部２５０の側面となる左側側板１０の左側の側面、及び、右側側板２０の右側の側面には、本体部１０ａ、２０ａと同じ側面形状の広告パネル６（図１）をそれぞれ装着可能となっていることが好ましい。これにより、広告パネル６によって所望の広告表示を行うことができる。
【００６１】
単位棚部２５０は、以上のように構成されている。
【００６２】
図１、図２及び図１１に示すように、底板部５０は、例えば、底板部５０の左半部を構成する左側底板部材５１と、底板部５０の右半部を構成する右側底板部材５７と、を有している。例えば、右側底板部材５７を左側底板部材５１の内側に収納する動作と、右側底板部材５７を左側底板部材５１から右側に引き出す動作とが可能となるように、左側底板部材５１と右側底板部材５７とが相互に連結されている。これにより、単位棚部２５０の幅方向寸法の変化に伴わせて、底板部５０の幅方向寸法を調節することができるようになっている。
【００６３】
左側底板部材５１は、平板状のメイン板状部５２と、メイン板状部５２の左辺、後辺及び前辺の各々より載置面５に向けて垂下するスカート部５３（図１３参照）と、を有している。
【００６４】
同様に、右側底板部材５７は、平板状のメイン板状部５８と、メイン板状部５８の右辺、後辺及び前辺の各々より載置面５に向けて垂下するスカート部５３と、を有している。
【００６５】
メイン板状部５２とメイン板状部５８とにより、底板部５０の主部が構成されている。メイン板状部５２の上面とメイン板状部５８の上面との間には、メイン板状部５２の厚みに相当する段差が存在するが、実質的にはメイン板状部５２とメイン板状部５８とにより１つの平板状の主部が構成されているとみなすことができる。
【００６６】
左側底板部材５１は、そのメイン板状部５２の左端部の上面より上方に突出する複数の（例えば２つの）上下連結突起４３と、メイン板状部５２の右端部の上面より上方に突出する複数の（例えば２つの）上下連結突起４３と、を有している。
また、右側底板部材５７は、そのメイン板状部５８の右端部の上面より上方に突出する複数の（例えば２つの）上下連結突起４３を有している。
左側底板部材５１及び右側底板部材５７の上下連結突起４３は、左側側板１０、中間板３０及び右側側板２０の上下連結突起４３と同様のものである。
【００６７】
図１に示すように、天板部９０は、例えば、天板部９０の左半部を構成する左側天板部材９１と、天板部９０の右半部を構成する右側天板部材９２と、を有している。例えば、右側天板部材９２を左側天板部材９１の内側に収納する動作と、右側天板部材９２を左側天板部材９１から右側に引き出す動作とが可能となるように、左側天板部材９１と右側天板部材９２とが相互に連結されている。これにより、単位棚部２５０の幅方向寸法の変化に伴わせて、天板部９０の幅寸法を調節することができるようになっている。
【００６８】
図示は省略するが、左側天板部材９１の左端部の下面側には、複数の（例えば２つの）上下連結凹部４５が形成されている。
同様に、左側天板部材９１の右端部の下面側には、複数の（例えば２つの）上下連結凹部４５が形成されている。
同様に、右側天板部材９２の右端部の下面側には、複数の（例えば２つの）上下連結凹部４５が形成されている。
左側天板部材９１及び右側天板部材９２の上下連結凹部４５は、左側側板１０、中間板３０及び右側側板２０の上下連結凹部４５と同様のものである。
【００６９】
左側底板部材５１の左端部の上下連結突起４３の各々は、一段目の単位棚部２５０の左側側板１０の対応する上下連結凹部４５に対してそれぞれ係合している。
左側底板部材５１の右端部の上下連結突起４３の各々は、一段目の単位棚部２５０の中間板３０の対応する上下連結凹部４５に対してそれぞれ係合している。
右側底板部材５７の上下連結突起４３の各々は、一段目の単位棚部２５０の右側側板２０の対応する上下連結凹部４５に対してそれぞれ係合している。
こうして、底板部５０と一段目の単位棚部２５０とが相互に連結されている。
【００７０】
ここで、例えば、上下連結突起４３がＬ字状のフック形状をなしている場合、底板部５０と一段目の単位棚部２５０とを相対的に近づけて、各上下連結突起４３を対応する上下連結凹部４５内に入り込ませた後、底板部５０と一段目の単位棚部２５０とを前後方向において相対移動させることにより、各上下連結突起４３を上下連結凹部４５に対して係合させることができる。これにより、各上下連結突起４３と上下連結凹部４５とが上下方向において相対的に抜け止めされた状態となる。
【００７１】
一段目の単位棚部２５０の左側側板１０の上下連結突起４３の各々は、二段目の単位棚部２５０の左側側板１０の対応する上下連結凹部４５に対してそれぞれ係合している。
一段目の単位棚部２５０の中間板３０の上下連結突起４３の各々は、二段目の単位棚部２５０の中間板３０の対応する上下連結凹部４５に対してそれぞれ係合している。
一段目の単位棚部２５０の右側側板２０の上下連結突起４３の各々は、二段目の単位棚部２５０の右側側板２０の対応する上下連結凹部４５に対してそれぞれ係合している。
こうして、一段目の単位棚部２５０の上に二段目の単位棚部２５０が積み重ねられ、且つ、一段目の単位棚部２５０と二段目の単位棚部２５０とが相互に連結されている。
【００７２】
図１の構成の場合、以下同様に、二段目と三段目の単位棚部２５０どうし、三段目と四段目の単位棚部２５０どうし、並びに、四段目と五段目の単位棚部２５０どうしが順次に連結されている。
なお、各段の左側側板１０の前端辺及び後端辺１６がそれぞれ傾斜状態で一直線上に並び、各段の右側側板２０の前端辺及び後端辺２６がそれぞれ傾斜状態で一直線上に並び、各段の中間板３０の前端辺及び後端辺３６がそれぞれ傾斜状態で一直線上に並んでいる（図１、図２参照）。このように、商品陳列棚２００は、例えば、後傾している。
【００７３】
更に、最上段（例えば五段目）の単位棚部２５０の左側側板１０の上下連結突起４３の各々は、左側天板部材９１の左端部の対応する上下連結凹部４５に対してそれぞれ係合している。
最上段の単位棚部２５０の中間板３０の上下連結突起４３の各々は、左側天板部材９１の右端部の対応する上下連結凹部４５に対してそれぞれ係合している。
最上段の単位棚部２５０の右側側板２０の上下連結突起４３の各々は、右側天板部材９２の対応する上下連結凹部４５に対してそれぞれ係合している。
こうして、最上段の単位棚部２５０と天板部９０とが相互に連結されている。
【００７４】
複数段の単位棚部２５０と、底板部５０及び天板部９０と、を有する商品陳列棚２００の幅方向寸法の変更は、左側側板１０と右側側板２０とを互いに近づける操作や、左側側板１０と右側側板２０とを互いに遠ざける操作などにより行うことができる。
【００７５】
底板部５０は、更に、底板部５０の周縁部の複数箇所の各々において、メイン板状部５２及びメイン板状部５８よりも低段に形成された平板状の低段部５５を有している。
【００７６】
例えば、左側底板部材５１の左端部における前端部及び後端部の各々には、メイン板状部５２よりも下に窪んだ凹部５４が形成されている。同様に、右側底板部材５７の右端部における前端部及び後端部の各々には、メイン板状部５８よりも下に窪んだ凹部５４が形成されている。そして、これら凹部５４の底面部により、それぞれ低段部５５が構成されている。すなわち、例えば、底板部５０は、その４隅にそれぞれ低段部５５を有している。低段部５５の下面は、例えば、スカート部５３の下端部よりも上に位置している。
【００７７】
図１２及び図１３に示すように、低段部５５の各々の下面には、底板部５０よりも摩擦係数が大きい材質により構成された滑り止め部材５９がそれぞれ設けられている。滑り止め部材５９は、例えば、平板状に形成されている。
【００７８】
底板部５０は、例えば、ＡＢＳ（Acrylonitrile-Butadiene-Styrene）樹脂などの硬質の合成樹脂からなる。滑り止め部材５９は、例えば、ウレタンエラストマーなどの軟質の合成樹脂からなる。
【００７９】
例えば、底板部５０は、低段部５５の周縁部より垂下する矩形枠状の保持壁５６を有している。この保持壁５６によって滑り止め部材５９の側周面が包囲され且つ保持されているとともに、滑り止め部材５９が水平方向において位置決めされている。
【００８０】
なお、滑り止め部材５９は、例えば、平面視において矩形状に形成されている。同様に、低段部５５及び保持壁５６も、例えば、平面視において矩形状に形成されている。
【００８１】
図１３に示すように、保持壁５６の下端と、スカート部５３の下端は、互いに同じ高さとなっている。また、滑り止め部材５９は、少なくとも滑り止め部材５９の下面を宙に浮かした状態では、保持壁５６の下端よりも下方に突出している。このため、商品陳列棚２００を載置面５に載置した状態において、滑り止め部材５９は載置面５に接触する。よって、商品陳列棚２００が載置面５に対して水平方向に滑って位置ずれしてしまうことを抑制できる。
【００８２】
滑り止め部材５９のうちの少なくとも何れか１つは、右側複合支持部材８０又は右側支持部材８５の直下、或いは、右側複合支持部材８０又は右側支持部材８５の延長線の直下に配置されている。
これにより、商品陳列棚２００の幅方向寸法の変更操作（以下、幅変更操作という）を行う際に、商品陳列棚２００が載置面５に対して水平方向に位置ずれしてしまうことを抑制できるとともに、幅変更操作時における力の伝達効率を高めることができる。以下、その理由を説明する。
幅変更操作時には、右側複合支持部材８０及び右側支持部材８５が、それらの長手方向に沿って、中間板３０に対して面直に、該中間板３０に対して相対的に移動する。このため、右側複合支持部材８０又は右側支持部材８５の直下、或いは、右側複合支持部材８０又は右側支持部材８５の延長線の直下において、滑り止め部材５９によって商品陳列棚２００を載置面５に対して摩擦的に位置固定することにより、幅変更操作時における商品陳列棚２００の位置ずれを効果的に抑制できるとともに、幅変更操作時における力の伝達効率を高めることができる。
【００８３】
具体的には、例えば、向かって右側手前の滑り止め部材５９は、右側支持部材８５の右端部の直下に配置されている。この場合、左側側板１０を右側側板２０の方に向けて押し込んで幅変更操作を行うことによって、幅変更操作時における商品陳列棚２００の位置ずれを抑制できる。
【００８４】
次に、カートリッジ３００について詳述する。
【００８５】
図１４に示すように、カートリッジ３００は、例えば、複数のたばこ商品６０が搭載されるカートリッジ本体３１０と、フラップ部材３２０と、揺動部材３３０と、スライダー３４０と、線材リール（付勢部）３７０と、を有している。
【００８６】
カートリッジ本体３１０は、上方及び前方に開放した箱形形状に形成されている。カートリッジ本体３１０は、カートリッジ本体３１０の下部において水平に配置された底板３１１と、カートリッジ本体３１０の左端、右端、及び後端においてそれぞれ立設された壁部（左右の側壁部及び後壁部）と、を有する。
【００８７】
カートリッジ本体３１０の前端部には、板状のフラップ部材３２０が設けられている。フラップ部材３２０は、その板面が前後方向を向くように配置されている。これにより、カートリッジ本体３１０とフラップ部材３２０とによって、上方に向けて開放した箱形のトレイが構成されている。なお、カートリッジ本体３１０及びフラップ部材３２０は、例えば透明樹脂により構成されている。
【００８８】
フラップ部材３２０は、前傾が可能なように、当該フラップ部材３２０の下部においてカートリッジ本体３１０に対して軸支されている。カートリッジ本体３１０の最前部に搭載されているたばこ商品６０を前方に取り出す際には、フラップ部材３２０が前傾することによって、その取り出し動作が容易になる。その取り出し動作後、フラップ部材３２０はその板面が前後方向を向く状態に復帰するようになっている。
【００８９】
カートリッジ本体３１０の左右の側壁部の下端部は、底板３１１よりも下方に突出した下方突出部３１５を構成している。カートリッジ本体３１０は、更に、下方突出部３１５より下方に突出した係合突起３１６を有している。すなわち、カートリッジ３００は、その下端部に形成された係合突起３１６を有している。
例えば、カートリッジ本体３１０の左端部には、互いに前後方向に離間した２つの係合突起３１６が形成されている。同様に、カートリッジ本体３１０の右端部には、互いに前後方向に離間した２つの係合突起３１６が形成されている。
係合突起３１６が左側複合支持部材７０又は右側複合支持部材８０の係合凹部７４に入り込むことによって、係合突起３１６と係合凹部７４とが係合する。
【００９０】
係合突起３１６は、その下部ほど前方に位置する形状に形成されている。例えば、図１４（ａ）に示すように、係合突起３１６は、側面視において、斜辺が前側となる台形状に形成されている。
一方、係合凹部７４は、図１７に示すように、係合凹部７４と係合突起３１６とが係合した状態において係合突起３１６の少なくとも上方への移動を規制する形状に形成されている。より具体的には、例えば、係合凹部７４は、係合凹部７４と係合突起３１６とが係合した状態において係合突起３１６の上方及び前方への移動を規制する形状に形成されている。
【００９１】
具体的には、係合凹部７４と係合突起３１６とが係合した状態において、係合突起３１６の前部の上側には上側板状部７１ａ（図７（ｂ）参照）が存在し、係合突起３１６の前側には前側平坦部７２ｄ（図７（ｂ）参照）が存在する。
このため、係合突起３１６の上方への移動は上側板状部７１ａにより規制され、係合突起３１６の前方への移動は、前側平坦部７２ｄにより規制される。
【００９２】
係合突起３１６は、カートリッジ３００が単位棚部２５０に対して、ひいては商品陳列棚２００に対して、所定の前後方向位置となっている状態（図２）において、係合凹部７４に対して係合する。そして、その状態において、カートリッジ３００の後端は、図２に示すように、後端辺１６、２６及び３６よりも後方に位置している。
すなわち、カートリッジ３００が商品陳列棚２００に対して所定の前後方向位置となっている状態で、カートリッジ３００が板状部（左側側板１０、右側側板２０及び中間板３０）よりも後方に突出している。これにより、商品陳列棚２００にカートリッジ３００が搭載されているかどうかを目視により容易に判別できるようになっているとともに、カートリッジ３００に対するオペレーションが容易となっている。
【００９３】
ところで、店員が商品陳列棚２００の後方からカートリッジ３００を支持部上に載せる際に、係合突起３１６はたばこ商品６０に隠れて見えない。また、カートリッジ３００が商品陳列棚２００に対して所定の前後方向位置となっている状態で、カートリッジ３００が板状部よりも後方に突出する。
これらのことから、カートリッジ３００の前後の位置決めが難しく、係合突起３１６を係合凹部７４に対して適切に係合させることができない場合もある。
仮に、図１７（ａ）において、係合突起３１６が左側複合支持部材７０よりも僅かに前側に位置していたとしても、カートリッジ３００は左側複合支持部材７０及び左側支持部材７５によって水平に支持されるため、カートリッジ３００の搭載状態に不具合があることに気付きにくい。また、その状態で、店員がカートリッジ３００の搭載状態の確認のためにカートリッジ３００を後方に軽く引っぱった場合、係合突起３１６の後端が左側複合支持部材７０の前端面に引っ掛かってカートリッジ３００が後方に移動規制されるので、搭載状態に問題が無いと誤認しやすい。
しかし、その状態で、カートリッジ３００は前方には容易に移動（支持部上でスライド移動）できる。このため、商品陳列棚２００の前方から購買者がたばこ商品６０を取り出す際に、カートリッジ３００の位置が更に前方にずれてしまう可能性がある。
図１７（ｂ）において、係合突起３１６が右側複合支持部材８０よりも僅かに前側に位置している場合にも、同様のことが言える。
すなわち、カートリッジ３００が所定の前後方向位置とは異なる前後方向位置で支持部に搭載された状態で、カートリッジ３００の後方移動が支持部により規制されるとともに、支持部上においてカートリッジ３００が前方にスライド移動可能である。
【００９４】
そこで、本実施形態では、突出片４０を左側側板１０、中間板３０及び右側側板２０の各々に設けている。これら突出片４０は、カートリッジ３００が商品陳列棚２００に対して所定の前後方向位置となっているか否かを目視により判別するためのインジケーターとして機能する。
【００９５】
図２に示すように、係合突起３１６が係合凹部７４に対して係合するように、カートリッジ３００を支持部上に載置した状態では、カートリッジ３００の後端の前後方向位置は、突出片４０の後端辺４１の前後方向位置と一致している。すなわち、この状態で商品陳列用什器１００を側方又は斜め後方などの方向から見たときに、突出片４０の後端とカートリッジ３００の後端との位置が揃って見える。
このため、カートリッジ３００を商品陳列棚２００に搭載する際には、突出片４０の後端辺４１の位置を基準として前後方向におけるカートリッジ３００の位置を調節することにより、カートリッジ３００を商品陳列棚２００に対して所定の前後方向位置とし、係合突起３１６を確実に係合凹部７４に対して係合させることができる。
【００９６】
以下、カートリッジ３００の構成について更に説明する。
底板３１１には、前後方向に延在するスリット３１２が形成されている。底板３１１におけるスリット３１２の右側及び左側の縁部は、スライダー３４０が前後移動する際にスライダー３４０をガイドするガイド部を構成する。これらガイド部の上面には、前後方向に延在する突条であるガイドレール３１３が形成されている。
【００９７】
底板３１１の上面において、ガイド部よりも左右方向における外側の位置には、たばこ商品６０を支持する左右一対の支持レール３１４が形成されている。これら支持レール３１４は、前後方向に延在する突条である。支持レール３１４の頂部の高さは、ガイドレール３１３の頂部の高さよりも高い。
【００９８】
スライダー３４０は、カートリッジ本体３１０の底板３１１に対して前後にスライド可能となるように、底板３１１に連結されている。スライダー３４０は、線材リール３７０によって前方に付勢される。スライダー３４０は、線材リール３７０による付勢に従って、カートリッジ本体３１０上のたばこ商品６０を前方に押す。
【００９９】
図１５に示すように、スライダー３４０は、スライダー３４０を底板３１１に対して連結するための連結部３５０と、たばこ商品６０を前方に押す押板部３６０と、左右一対の補強板３４１と、天板３４３と、を有している。
【０１００】
連結部３５０は、底板３１１の上面に沿ってスライド移動する（具体的にはガイドレール３１３にガイドされてスライド移動する）第１スライド部３５１と、底板３１１の下面に沿ってスライド移動する第２スライド部３５２と、第１スライド部３５１と第２スライド部３５２とを相互に連結している上下連結部３５３と、を有する。
【０１０１】
連結部３５０は、第１スライド部３５１と第２スライド部３５２とによりガイド部を上下から挟み込んで保持するようにして、カートリッジ本体３１０に対して組み付けられることにより、底板３１１に対して連結されている。この状態で、上下連結部３５３は、スリット３１２を上下に貫通している。
【０１０２】
押板部３６０は、平板状に形成されており、当該押板部３６０の板面が前後方向を向くように、スライダー３４０の前端部において立設されている。
左右一対の補強板３４１は、それぞれの板面が左右方向を向く状態で、互いに対向している。これら補強板３４１の各々は、押板部３６０の背面より後方に向けて起立しているとともに、第１スライド部３５１の上面より上方に向けて起立している。
天板３４３は、第１スライド部３５１の上方において、押板部３６０の背面より後方に向けて突出しているとともに、一対の補強板３４１間に亘って水平に架設されている。
天板３４３、左右の補強板３４１及び押板部３６０により囲まれた空間は、線材リール３７０のリール本体３７１（後述）を保持する保持部３４２を構成しており、リール本体３７１は保持部３４２に保持されている。
なお、連結部３５０には、保持部３４２の内部からスライダー３４０の前方へと線材３７２（後述）を導くための貫通孔３４５が形成されている。
【０１０３】
線材リール３７０は、例えば、ケース状のリール本体３７１と、リール本体３７１内において回転可能に設けられた円筒状の巻ドラム（図示略）と、リール本体３７１内における巻ドラムの内側の領域に配置されたゼンマイバネ（図示略）と、線材３７２と、を有する。
【０１０４】
線材３７２の一端は、巻ドラムに連結されている。線材３７２の他端は、リール本体３７１に形成された引き出し孔（図示略）を介して、リール本体３７１の外部に導出されている。更に、線材３７２の他端は、連結部３５０の貫通孔３４５を通して、スライダー３４０の前方へ導かれている。
【０１０５】
線材リール３７０のゼンマイバネは、巻ドラムが当該巻ドラムの周囲に線材３７２を巻き取る方向へと回転するように、巻ドラムを付勢している。つまり、ゼンマイバネは、線材３７２をリール本体３７１の内部に引き込む方向へと、線材３７２を間接的に付勢している。線材３７２の他端（前端）は、例えば、フラップ部材３２０の下部に固定されている。このため、ゼンマイバネの付勢により、リール本体３７１及びスライダー３４０が前方に付勢されている。
【０１０６】
揺動部材３３０は、図１４（ｂ）に示すように、平面視においてくの字に屈曲した形状をなした平板状のものである。揺動部材３３０は、カートリッジ本体３１０の底板３１１よりも下側、且つ、下方突出部３１５の下端よりも上側に配置されている。揺動部材３３０は、その屈曲部の近傍の揺動支点３３１にて、水平面内において（鉛直方向の軸を中心として）揺動可能に底板３１１に軸支されている。
【０１０７】
揺動部材３３０は、カートリッジ本体３１０に搭載されているたばこ商品６０の個数（以下、残個数という）を報知するためのものである。揺動部材３３０は、スライダー３４０の前後移動に連動して揺動する。その揺動により、揺動部材３３０の前端部３３２は、カートリッジ３００の前端部の下部において左右方向に移動する。
【０１０８】
残個数が所定の個数以下（例えば５個以下）となっている状態では、揺動部材３３０における揺動支点３３１よりも前側の部位がスライダー３４０の第２スライド部３５２により横に押し退けられることによって、前端部３３２が一方向（例えば向かって右方向：図１４（ｂ）では下方向）に移動する。このように前端部３３２が横方向に移動することによって、残個数が所定の個数以下となったことの報知がなされる。
【０１０９】
その後、カートリッジ本体３１０上にたばこ商品６０が補充されることによって、残個数が所定の個数を上回ると、揺動部材３３０における揺動支点３３１よりも後側の部位が第２スライド部３５２により横に押し退けられるとともに、前端部３３２が上記一方向に対する反対方向（例えば向かって左方向：図１４（ｂ）では上方向）に移動する。これにより、残個数が所定の個数を上回っている（所定の個数以下とはなっていない）ことの報知がなされる。
【０１１０】
図１６に示すように、底板３１１の後部には、第１スライド部３５１を係止させることによってスライダー３４０をロック状態とするロック部３１７が形成されている。ロック状態は、スライダー３４０の前方移動が規制された状態である。
より具体的には、ロック部３１７は、ガイドレール３１３を含むガイド部の後端面により構成されている。
線材リール３７０の付勢に抗してスライダー３４０を後方に移動させて、第１スライド部３５１の前面３５５（図１５）をロック部３１７に対して係合させることにより、スライダー３４０をロック状態とすることができる。
【０１１１】
ここで、図１５に示すように、前面３５５は、前方に向けて下り傾斜した第１傾斜面となっている。一方、図１６に示すように、ロック部３１７は、その上部ほど後方に位置するようにオーバーハングした第２傾斜面となっている。従って、前面３５５とロック部３１７との強固な係合状態を実現し、スライダー３４０の前方移動を好適に規制することができる。例えば、ロック状態において第１傾斜面と第２傾斜面とが互いに平行となって当接するように、第１傾斜面と第２傾斜面の傾斜角度は互いに等しく設定されている。
【０１１２】
以上のような実施形態によれば、インジケーターを有しているので、カートリッジ３００が商品陳列棚２００に対して所定の前後方向位置となっているか否かを目視により判別することができる。換言すれば、カートリッジ３００と支持部とが相互に係合しているか否かの判別を、インジケーター等を目視することによって容易に行うことができる。よって、容易且つ確実に、カートリッジ３００と支持部とを係合状態にすることができる。
【０１１３】
また、カートリッジ３００が所定の前後方向位置とは異なる前後方向位置で支持部に搭載された状態で、カートリッジ３００の後方移動が支持部により規制されるとともに、支持部上においてカートリッジ３００が前方にスライド移動可能となる場合がある。つまり、カートリッジ３００が支持部上に正常に載置できていなくても、カートリッジの搭載状態に問題が無いと誤認しやすい状況が発生し得る。このような構成において、カートリッジ３００の搭載状態に問題が無いかどうかを、インジケーター等を目視することによって容易に判別することができる。
【０１１４】
また、カートリッジ３００が商品陳列棚２００に対して所定の前後方向位置となっている状態で、カートリッジ３００が左側側板１０、右側側板２０及び中間板３０よりも後方に突出している。つまり、左側側板１０、右側側板２０及び中間板３０を基準にしてカートリッジ３００の前後方向位置を調節することが困難である。このような構成において、カートリッジ３００の搭載状態に問題が無いかどうかを、インジケーター等を目視することによって容易に判別することができる。
【０１１５】
また、インジケーターは、左側側板１０、中間板３０及び右側側板２０の各々の後端より後方に突出している突出片４０であり、突出片４０の後端の前後方向位置は、カートリッジ３００が商品陳列棚２００に対して所定の前後方向位置となっているときのカートリッジ３００の後端の前後方向位置と一致する。このため、商品陳列棚２００の後方からカートリッジ３００を商品陳列棚２００に搭載する際に、突出片４０とカートリッジ３００の後端とを同時に目視して、突出片４０の後端と左側側板１０、中間板３０及び右側側板２０の後端との前後方向位置を揃えることによって、カートリッジ３００の前後方向位置を適切に調節することができる。
【０１１６】
ここで、店員が商品陳列棚２００の後方からカートリッジ３００を取り出す場合よりも、購買者がたばこ商品６０を取り出す場合のほうが頻度が高く、購買者がたばこ商品６０を取り出す度にカートリッジ３００の上方への移動、或いは上方及び前方への移動が起こり得る。カートリッジ３００が上方、或いは上方及び前方へ移動してしまうと、例えば、カートリッジ３００が浮く、がたつく、音が発生するなどの原因となり、最悪の場合たばこ商品６０ごとカートリッジ３００が落下してしまうなど、購買者に不快感を与える要因となってしまう。そのため、カートリッジ３００の少なくとも上方への移動（好ましくは上方及び前方への移動）を規制し、購買者に不快感を与えないようにする必要性がある。
このような事情に対し、本実施形態では、係合突起３１６は、その下部ほど前方に位置する形状に形成されている。一方、係合凹部７４は、係合凹部７４と係合突起３１６とが係合した状態において係合突起３１６の少なくとも上方への移動（具体的には、例えば、上方及び前方への移動）を規制する形状に形成されている。よって、商品陳列用什器１００の前方から購買者がたばこ商品６０を取り出す際に、カートリッジ３００の少なくとも上方への移動（具体的には、例えば、上方及び前方への移動）を規制し、購買者に不快感を与えないようにすることができる。
【０１１７】
また、載置面５に対する商品陳列棚２００の位置ずれを抑制するための滑り止め部材５９は、底板部５０の低段部５５の下面に設けられている。このため、滑り止め部材５９の厚みがさほど厚くなくても、滑り止め部材５９を確実に載置面５に接触させることができる。
なお、底板部５０の内側（スカート部５３により周囲を囲まれた領域）には、例えばたばこ商品６０の取り出し時などに報知音を出力するためのセンサ機器や音声機器が格納される場合がある。この場合、底板部５０には、ある程度の高さ寸法が必要となる。この場合に、低段部５５を設けることなく滑り止め部材５９を取り付けるならば、滑り止め部材５９を厚くする必要があるのに対し、本実施形態では、滑り止め部材５９をさほど厚くする必要がない。
【０１１８】
また、滑り止め部材５９のうちの少なくとも何れか１つは、第２支持部の直下、又は、第２支持部の延長線の直下に配置されている。これにより、商品陳列棚２００の幅変更操作の際に、商品陳列棚２００が載置面５に対して水平方向に位置ずれしてしまうことを効果的に抑制することができるとともに、幅変更操作時における力の伝達効率を高めることができる。
【０１１９】
また、スライダー３４０の第１スライド部３５１の前面３５５は、前方に向けて下り傾斜した第１傾斜面となっており、ロック部３１７は、その上部ほど後方に位置するようにオーバーハングした第２傾斜面となっている。これにより、前面３５５とロック部３１７との強固な係合状態を実現し、スライダー３４０の前方移動を好適に規制することができる。
【０１２０】
＜変形例＞
図１８は変形例に係る商品陳列用什器のカートリッジ３００のカートリッジ本体３１０の後部の断面図である。図１８も図１４（ｂ）のＢ−Ｂ線に沿った矢視断面図である。
【０１２１】
この変形例では、カートリッジ本体３１０は、底板３１１の下面より下方に突出した突起３８０を有している。この突起３８０は、例えば、左右方向に延在する突条である。
【０１２２】
上述したように、スライダー３４０を後退させて第１スライド部３５１をロック部３１７に係止させることによって、スライダー３４０をロック状態とすることができる。
ロック状態においては、突起３８０が第２スライド部３５２の上方移動を規制することにより、スライダー３４０の前傾が規制されるようになっている。これにより、第１スライド部３５１の前面３５５がロック部３１７から脱落してしまう（前面３５５とロック部３１７とが係合解除してしまう）ことを抑制することができる。
【０１２３】
ここで、ロック状態にできるようにスライダー３４０を後退させたときの、第２スライド部３５２の後端の位置を、特定後退位置と称する。特定後退位置は、突起３８０の近傍且つ突起３８０の後方である。
【０１２４】
そして、第２スライド部３５２を特定後退位置へ後退させる過程で、第２スライド部３５２の後端が突起３８０に接触するように、突起３８０の形状及び寸法等の、カートリッジ３００の形状因子が設定されている。より具体的には、第２スライド部３５２の後端が突起３８０に接触した後、第２スライド部３５２の後端は突起３８０を乗り越えるようにして突起３８０の後方に移動するようになっている。
【０１２５】
したがって、第２スライド部３５２を特定後退位置に後退させる際に、第２スライド部３５２の後端が突起３８０に接触することによって、例えばカチッという音が生じるとともに、その接触が生じた触感が操作者（店員）の手指に伝わる。換言すれば、スライダー３４０の操作者に対して、クリック感のような感覚（音感及び触感）を与えることができる。
【０１２６】
これにより、操作者は、第２スライド部３５２が特定後退位置の近傍まで後退したことを音感や触感により容易に認識することができる。よって、ロック状態とさせる操作の容易性及び確実性を向上することができる。
【０１２７】
上記においては、インジケーターが突出片４０である例を説明したが、インジケーターはこの例に限らない。
例えば、カートリッジ３００のカートリッジ本体３１０の側面に、インジケーターとなるラインを付しておくことが挙げられる。この場合、例えば、そのラインと左側側板１０、中間板３０及び右側側板２０の後端との前後方向位置が一致するように、カートリッジ３００の前後方向位置を合わせてカートリッジ３００を支持部に搭載することにより、確実に係合突起３１６を係合凹部７４に対して係合させることができる。
このように、インジケーターは、商品陳列棚２００とカートリッジ３００とのうちの少なくとも何れか一方に形成されていれば良い。
【０１２８】
なお、上記の各形態における各構成要素は、必ずしも個々に独立した存在である必要はない。複数の構成要素が一個の部材として形成されていても良いし、一つの構成要素が複数の部材で形成されていても良いし、ある構成要素が他の構成要素の一部であっても良いし、ある構成要素の一部と他の構成要素の一部とが重複していても良い。
【符号の説明】
【０１２９】
５ 載置面
６ 広告パネル
１０ 左側側板（板状部、第１の側板）
１０ａ 本体部
１１ 固定穴
１２ 固定穴
１３ 固定穴
１４ 固定突起
１５ 固定突起
１６ 後端辺
２０ 右側側板（板状部、第２の側板）
２０ａ 本体部
２１ 固定穴
２２ 固定穴
２４ 固定突起
２５ 固定突起
２６ 後端辺
３０ 中間板（板状部）
３０ａ 本体部
３１ 遊挿孔
３１ａ 天面
３２ 遊挿孔
３２ａ 天面
３６ 後端辺
４０ 突出片（インジケーター）
４１ 後端辺
４３ 上下連結突起
４５ 上下連結凹部
５０ 底板部
５１ 左側底板部材
５２ メイン板状部（主部を構成する）
５３ スカート部
５４ 凹部
５５ 低段部
５６ 保持壁
５７ 右側底板部材
５８ メイン板状部（主部を構成する）
５９ 滑り止め部材
６０ たばこ商品（商品）
７０ 左側複合支持部材（支持部、第１支持部）
７１ 前側部材
７１ａ 上側板状部
７１ｂ 下側板状部
７１ｃ 上下連結部
７１ｄ 連結孔
７２ 後側部材
７２ａ 本体部
７２ｂ 溝部
７２ｃ 後側平坦部
７２ｄ 前側平坦部
７２ｅ 連結突起
７３ 固定穴
７４ 係合凹部（係合構造を構成する）
７５ 左側支持部材（支持部、第１支持部）
７６ 本体部
７７ 固定穴
８０ 右側複合支持部材（支持部、第２支持部）
８１ 前側部材
８２ 後側部材
８３ 固定穴
８４ 面取り形状部
８５ 右側支持部材（支持部、第２支持部）
８６ 本体部
８７ 固定穴
８８ 抜け止め用爪部
８９ 面取り形状部
９０ 天板部
９１ 左側天板部材
９２ 右側天板部材
１００ 商品陳列用什器
２００ 商品陳列棚
２５０ 単位棚部
３００ カートリッジ
３１０ カートリッジ本体
３１１ 底板
３１２ スリット
３１３ ガイドレール
３１４ 支持レール
３１５ 下方突出部
３１６ 係合突起（係合構造を構成する）
３１７ ロック部
３２０ フラップ部材
３３０ 揺動部材
３３１ 揺動支点
３３２ 前端部
３４０ スライダー
３４１ 補強板
３４２ 保持部
３４３ 天板
３４５ 貫通孔
３５０ 連結部
３５１ 第１スライド部
３５２ 第２スライド部
３５３ 上下連結部
３５５ 前面
３６０ 押板部
３７０ 線材リール（付勢部）
３７１ リール本体
３７２ 線材
３８０ 突起
【図１】
2014018503.tif 000003
【図２】
2014018503.tif 000004
【図３】
2014018503.tif 000005
【図４】
2014018503.tif 000006
【図５】
2014018503.tif 000007
【図６】
2014018503.tif 000008
【図７】
2014018503.tif 000009
【図８】
2014018503.tif 000010
【図９】
2014018503.tif 000011
【図１０】
2014018503.tif 000012
【図１１】
2014018503.tif 000013
【図１２】
2014018503.tif 000014
【図１３】
2014018503.tif 000015
【図１４】
2014018503.tif 000016
【図１５】
2014018503.tif 000017
【図１６】
2014018503.tif 000018
【図１７】
2014018503.tif 000019
【図１８】
2014018503.tif 000020